(57)【要約】【課題】  複数の撮影カメラのホワイトバランス調整を行う場合の時間と手間を軽減すると共に、撮影カメラで色味補正方向が逆転してしまうことなく、撮影前のホワイトバランス調整の簡便化と色味のばらつきの抑制を両立させる。【解決手段】  撮影前に、各撮影カメラＡ〜Ｊにおいて白い被写体を撮影して得られたホワイトバランス情報は、送信手段１ａ〜１ｊを介して集中管理装置３に送信され、ホワイトバランス情報が平均化される。このとき、ホワイトバランス情報が得られていない撮影カメラからは、無効なホワイトバランス情報が送信される。集中管理装置３は平均化したホワイトバランス情報を作成し、受信手段２ａ〜２ｊを介して全ての撮影カメラＡ〜Ｊに向けて送信され、それぞれの撮影カメラＡ〜Ｊはそのホワイトバランス情報を基にして、自らのホワイトバランス調整を行う。【選択図】図１
2007096767.tif 000002
【特許請求の範囲】
【請求項１】
被写体を複数の撮像装置で撮影するカメラシステムにおいて、少なくとも２台以上の撮像装置のホワイトバランス情報を平均化し、該平均化されたホワイトバランス情報を別の撮像装置と共有化する手段を備えたことを特徴とするカメラシステム。
【請求項２】
前記共有化する手段は、前記各撮像装置と前記撮像装置を集中管理する集中管理装置とを電気的に連結し、該集中管理装置により無線又は有線によって前記各撮像装置を集中管理することを特徴とする請求項１に記載のカメラシステム。
【請求項３】
前記平均化されたホワイトバランス情報を自らの撮像装置のホワイトバランス情報として利用することを特徴とする請求項１に記載のカメラシステム。
【請求項４】
前記平均化されたホワイトバランス情報を自らの撮像装置のホワイトバランス情報として利用せず、自らの撮像装置のホワイトバランス調整機能で取得したホワイトバランス情報を利用することを特徴とする請求項１に記載のカメラシステム。
【発明の詳細な説明】
【技術分野】
【０００１】
本発明は、テレビ放送用の撮像装置のホワイトバランス調整を行うカメラシステムに関するものである。
【背景技術】
【０００２】
従来、テレビのスポーツ中継やコンサート中継のように、或る被写体を複数の撮影カメラで撮影を行う場合に、通常は１０〜１５台程度の撮影カメラを様々な場所に設置して撮影を行っている。図２に示す▲は、サッカー競技場における撮影カメラの設置場所である。そして、集中管理装置により全ての個所の撮影カメラの映像をチェックしながら、管理者が使用する映像を選択し、適宜に映像を切換えることで番組の絵作りを行っている。
【０００３】
ところで、それぞれの撮影カメラは撮影前にホワイトバランス調整を行い、特許文献１のように、それぞれの撮影カメラが適正な色味を再現できるようにしている。ホワイトバランスの調整とは、或る白い被写体を撮影し、そのときのＣＣＤの色情報のＲ、Ｇ、Ｂの出力レベルの比率が１：１：１となる理論上白色となるような補正を行うことである。具体的には、白い被写体から得られた色情報の中のＧの出力レベルを１として、ＲとＢの出力レベルがそれぞれＧと同等になるまで補正をかけることでＲ、Ｇ、Ｂの出力レベルが１：１：１になるように調整を行っている。前述のように、複数の撮影カメラで同じ被写体を同時に撮影する場合に、それぞれの撮影カメラでホワイトバランス調整を行う必要があり、通常は白い壁などを利用して撮影カメラ毎にホワイトバランス調整を行っている。
【０００４】
【特許文献１】特開平５−２９２５３３号公報
【発明の開示】
【発明が解決しようとする課題】
【０００５】
しかし、特に屋外での撮影などでは、撮影カメラの設置場所によってはホワイトバランス調整用の白い被写体が付近に存在しない場合も屡々発生する。このような場合に、従来はホワイトバランス調整用の白色の板や紙などを常備し、設置場所で簡易的にホワイトバランス調整を行うことで対応している。しかし、このような方法はホワイトバランス調整を行うためだけに、白色の板や紙を常に持ち歩く必要があり、少しでも撮影機材を減らして機動性を高めたいという撮影者の意図に反するだけでなく、置き忘れる危険性もある。
【０００６】
実際の調整時には、白色の板や紙を他人に保持してもらう必要がある場合が多く、結果としてホワイトバランス調整用の白い被写体が付近にないカメラが多ければ多いほど、人手や手間をより必要とすることになる。また、適当な白い被写体の有無に拘らず、撮影に使用するカメラ全てがホワイトバランス調整を行わなければならないため、撮影カメラの台数が多ければ多いほど、撮影前のセッティング時間が増大する傾向があるという問題がある。
【０００７】
特許文献２には、１台の電子カメラのホワイトバランス情報を基準データとして、その情報を他の電子カメラと共有化するという提案がなされている。しかし、この方法ではセッティング時間の短縮や調整の手間の軽減は図れるが、それぞれの撮影カメラのＣＣＤ(charge coupled device)特性のばらつきが吸収できず、時には次の例に示すように、共通化することで逆方向の補正がかってしまう可能性がある。
【０００８】
撮影カメラに内蔵されているＣＣＤは、製造誤差によってそれぞれ特性に若干のばらつきを有している。従って、ホワイトバランス調整用の或る白い被写体を３台の撮影カメラＡ〜Ｃで同時に撮影しても、それぞれのＣＣＤから発せられるＲ、Ｇ、Ｂの出力レベルは例えば次のようにばらつくことがある。
【０００９】
撮影カメラＡ    Ｒ：Ｇ：Ｂ＝０．９：１：１．１
撮影カメラＢ    Ｒ：Ｇ：Ｂ＝０．９５：１：１．１５
撮影カメラＣ    Ｒ：Ｇ：Ｂ＝１．２：１：０．９５
【００１０】
特許文献２のように、例えば撮影カメラＡの色情報を基に行った撮影カメラＡのホワイトバランス調整は、Ｒの出力レベルに（１／０．９）、Ｂの出力レベルに（１／１．１）を乗ずることで、Ｒ：Ｇ：Ｂの出力レベルの比率が１：１：１になるように補正を行う。
【００１１】
ところが、この撮影カメラＡのホワイトバランス調整のための補正情報を撮影カメラＢ及びカメラＣと共通化してしまうと、例えば撮影カメラＣのＲとＢの出力レベルはそれぞれ１．２×（１／０．９）倍、０．９５×（１／１．１）倍となる。結果として、撮影カメラＣのＲ、Ｇ、Ｂの出力レベルは、１．３３：１：０．８６となってしまう。撮影カメラＣの補正前のＲ、Ｇ、Ｂの出力レベルは１．２：１：０．９５であったことから、基準の撮影カメラＡとの色味の差が更に大きくなってしまうこととなり、撮影上大きな支障が生ずる。
【００１２】
本発明の目的は、上述の課題を解消し、複数の撮影カメラのホワイトバランス調整を行う場合の時間と手間を軽減すると共に、撮影カメラで色味補正方向が逆転してしまうことなく、撮影前のホワイトバランス調整の簡便化と色味のばらつきの抑制を両立させるカメラシステムを提供することにある。
【００１３】
【特許文献２】特開２００４−３４９９５１号公報
【課題を解決するための手段】
【００１４】
上述の目的を達成するための本発明に係るカメラシステムの技術的特徴は、被写体を複数の撮像装置で撮影を行うカメラシステムにおいて、少なくとも２台以上の撮像装置のホワイトバランス情報を平均化し、該平均化されたホワイトバランス情報を別の撮像装置と共有化する手段を備えたことにある。
【発明の効果】
【００１５】
本発明に係るカメラシステムによれば、或る被写体を複数の撮像装置で撮影を行う場合において、ホワイトバランス調整の手間、時間が削減され、撮影カメラ毎の色味の違い、ばらつきを抑制することができる。
【発明を実施するための最良の形態】
【００１６】
本発明を図１に図示の実施例に基づいて詳細に説明する。
図１は実施例の説明図である。例えば、撮影に使用される１０台の撮影カメラＡ〜Ｊがあり、それぞれ送信手段１ａ〜１ｊ、受信手段２ａ〜２ｊを有している。送信手段１ａ〜１ｊは自らのホワイトバランス情報を集中管理装置３に送信するためのものであり、受信手段２ａ〜２ｊは集中管理装置３からホワイトバランス情報を受信するためのものである。集中管理装置３は全ての撮影カメラＡ〜Ｊの送信手段１ａ〜１ｊ、受信手段２ａ〜２ｊと無線又は有線で接続されており、全ての撮影カメラＡ〜Ｊと電気的な信号を送受信することが可能となっている。
【００１７】
撮影前に、各撮影カメラＡ〜Ｊにおいて白い被写体を撮影して得られたホワイトバランス情報は、一旦集中管理装置３に送信され、集中管理装置３内でホワイトバランス情報が収集及び平均化される。このとき、付近に白い被写体が見付からず、ホワイトバランス情報が得られていない撮影カメラからは、その旨を表す無効なホワイトバランス情報が送信されるか、何も情報が送信されない。
【００１８】
集中管理装置３は集められたホワイトバランス情報のうち有効なものだけをサンプリングし、平均化したホワイトバランス情報を作成する。この平均化されたホワイトバランス情報は、集中管理装置３から全ての撮影カメラＡ〜Ｊに向けて送信され、それぞれの撮影カメラＡ〜Ｊはそのホワイトバランス情報を基にして、自らのホワイトバランス調整を行う。
【００１９】
例えば、１０台の撮影カメラＡ〜Ｊのうち、白い被写体を撮影して適正にホワイトバランス調整ができた５台の撮影カメラＡ〜Ｅからホワイトバランス情報が集中管理装置３で得られたと仮定する。表１はそのときの５台の撮影カメラＡ〜ＥのＲ、Ｇ、Ｂの出力レベルの一例とその平均値を示している。
【００２０】
表１
カメラ番号  ＣＣＤの出力レベル（補正前）
Ｒ          Ｇ        Ｂ
Ａ      ０．９２    １．００    １．２２
Ｂ      ０．８０    １．００    １．１０
Ｃ      １．００    １．００    ０．９９
Ｄ      ０．９５    １．００    ０．９２
Ｅ      １．１１    １．００    １．２１
平均値    ０．９６    １．００    １．０９
【００２１】
ここで、ＲとＢの出力レベルの平均値はそれぞれ０．９６、１．０９であることから、撮影カメラＡ〜ＥはそれぞれのＲとＢの出力レベルに（１／０．９６）、（１／１．０９）を乗ずることで、ホワイトバランスの補正を行う。
【００２２】
また、白い被写体が付近に存在せず、適正なホワイトバランス調整を行えなかった撮影カメラＦ〜ＪはＲの出力レベル（１／０．９６）、Ｂの出力レベル（１／１．０９）をそのまま用いることで、ホワイトバランス調整の代用とする。その結果、１０台の撮影カメラＡ〜Ｊのホワイトバランス情報は表２の通りとなる。
【００２３】
表２
カメラ番号  ＣＣＤの出力レベル（補正後）
Ｒ          Ｇ          Ｂ
Ａ      ０．９６    １．００    １．１２
Ｂ      ０．８４    １．００    １．０１
Ｃ      １．０５    １．００    ０．９１
Ｄ      ０．９９    １．００    ０．８５
Ｅ      １．１６    １．００    １．１１
Ｆ      １．０５    １．００    ０．９２
Ｇ      １．０５    １．００    ０．９２
Ｈ      １．０５    １．００    ０．９２
Ｉ      １．０５    １．００    ０．９２
Ｊ      １．０５    １．００    ０．９２
平均値    １．０２    １．００    ０．９６
【００２４】
表２に示すように、結果として１０台の撮影カメラＡ〜ＪのＲとＢの出力レベルの平均値はそれぞれ１．０２、０．９６となる。
【００２５】
ここで、従来例で挙げられていた方法で、平均値ではなく１台のみの撮影カメラＡの出力レベルを、他の撮影カメラＢ〜Ｊで共有してホワイトバランス調整を行う場合を考える。表１から撮影カメラＡはＲとＢの出力レベルがそれぞれ０．９２、１．２２であることから、ＲとＢの出力レベルに（１／０．９２）、（１／１．２２）を乗ずることで、ホワイトバランスの補正を行う。そして、撮影カメラＢ〜ＥはそれぞれのＲとＢの出力レベルに同様に（１／０．９２）、（１／１．２２）が乗じられる。また、撮影カメラＦ〜Ｊは（１／０．９２）、（１／１．２２）をそのまま用いることでホワイトバランス調整の代用とする。その結果、１０台の撮影カメラＡ〜Ｊのホワイトバランス情報は表３の通りとなる。
【００２６】
表３
カメラ番号  ＣＣＤの出力レベル（補正後）
Ｒ          Ｇ          Ｂ
Ａ      １．００    １．００    １．００
Ｂ      ０．８７    １．００    ０．９０
Ｃ      １．０９    １．００    ０．８１
Ｄ      １．０３    １．００    ０．７５
Ｅ      １．２１    １．００    ０．９９
Ｆ      １．０９    １．００    ０．８２
Ｇ      １．０９    １．００    ０．８２
Ｈ      １．０９    １．００    ０．８２
Ｉ      １．０９    １．００    ０．８２
Ｊ      １．０９    １．００    ０．８２
平均値    １．０６    １．００    ０．８６
【００２７】
表３に示すように、結果として１０台の撮影カメラＡ〜ＪのＲとＢの出力レベルの平均値は、それぞれ１．０６、０．８６となる。
【００２８】
表２と表３の１０台の撮影カメラＡ〜ＪのＲとＢの平均値を比較すると、Ｒは１．０２と１．０６、Ｂは０．９６と０．８６となり、数字が１．００に近いほどより白色を忠実に再現できる。１台の撮影カメラＡを基準にするよりも、明らかに５台の撮影カメラＡ〜Ｅの平均値を基準にしたほうが、ホワイトバランス情報を共有化したときの撮影カメラ毎の色味の違い、ばらつきを抑制することができる。
【００２９】
ここで、Ｒ、Ｂそれぞれの出力データの補正は、上記の平均値を基にしてもよいし、適正なホワイトバランス調整が行われた撮影カメラであれば、自らの出力データを基に補正を行ってもよい。
【００３０】
また、ホワイトバランス情報を送受信する送信手段１ａ〜１ｊ、受信手段２ａ〜２ｊは撮影カメラと別体でなく一体型であっても支障はない。集中管理装置３は据置き型でも可搬型でもよいが、より撮影の機動性を高めるのであれば可搬型が望ましい。各撮影カメラＡ〜Ｊと集中管理装置３との電気信号の送受信は、前述の通り無線でも有線でもよいが、より機動性を高めるのであれば、無線での送受信が望ましい。
【００３１】
このように本実施例によれば、ホワイトバランスデータの平均値を共有することで撮影カメラ毎の色味の違いを押えることができる。また、付近に白い被写体が存在せず、適正なホワイトバランス調整が不可能である場合でも、他の撮影カメラのホワイトバランスを利用することにより、白い板や紙のようなホワイトバランス調整のためだけの機材が不要となり、撮影の機動性が向上する。更には、全ての撮影カメラでホワイトバランス調整を行うことが不要となることから、撮影前の準備の手間、時間を削減することが可能となる。
【図面の簡単な説明】
【００３２】
【図１】実施例の構成図である。
【図２】従来例の説明図である。
【符号の説明】
【００３３】
１ａ〜１ｊ  送信手段
２ａ〜２ｊ  受信手段
３  集中管理装置
Ａ〜Ｊ  撮影カメラ
【図１】
2007096767.tif 000003
【図２】
2007096767.tif 000004